(57)【要約】【課題】用紙間密着力を低減させた状態で用紙を給紙することができ、優れた給紙分離性能及び用紙搬送品質を得ることができる給紙装置を提供する。【解決手段】給紙装置は、ピックアップコロ１１１、フィードコロ１１２、リバースコロ１１３からなる給紙分離手段１１０を備えている。左右サイドフェンス１０２，１０３にはエアー噴き出し口１０６が設けられる。分離給紙手段１１０の動作が開始される前で、かつ用紙サバキのためのブロワーファン動作中にピックアップコロ１１１が接離動作を行うように制御することにより、用紙間密着力を低減させた状態で用紙を給紙することができる。【選択図】図３
2009084052.tif 000002
【特許請求の範囲】
【請求項１】
用紙収納部と、該用紙収納部に収納された用紙を呼び出す呼出手段と、該呼出手段によって呼び出された用紙を１枚に分離して給送する給紙分離手段と、前記用紙収納部に収納された用紙の側面にエアーを吹き付けるエアー吹付け手段とを備える給紙装置において、
前記給紙分離手段の駆動開始前であって前記エアー吹付け手段動作中に前記呼出手段が呼び出し動作を行うように制御することを特徴とする画像形成装置。
【請求項２】
前記呼出手段の呼び出し動作が、呼び出し部材を用紙上面に接離させる動作であり、
前記給紙分離手段の駆動開始前であって前記エアー吹付け手段動作中に前記接離動作を複数回行なうことを特徴とする、請求項１に記載の給紙装置。
【請求項３】
前記呼出手段による呼び出し動作を実施する時間を調整可能に設けられていることを特徴とする、請求項１又は２に記載の給紙装置。
【請求項４】
前記用紙収納部内の用紙残量を検知可能に設けられ、前記用紙残量が１枚のときは前記エアー吹付け手段の動作を停止させるとともに前記呼出手段による呼び出し動作を１回のみに制御することを特徴とする、請求項１に記載の給紙装置。
【請求項５】
前記呼出手段により呼び出された用紙が前記給紙分離手段の用紙搬送方向下流側に配置された用紙搬送手段に到達するまで、前記呼出手段を最上位の用紙に接触させることを特徴とする、請求項１に記載の給紙装置。
【請求項６】
請求項１〜５のいずれか１項に記載の給紙装置を備えることを特徴とする画像形成装置。
【請求項７】
用紙の厚さに応じて前記給紙分離手段の駆動開始前であって前記エアー吹付け手段動作中における前記呼出手段による呼び出し動作の実施回数又は実施時間を変更可能なことを特徴とする、請求項６に記載の画像形成装置。
【請求項８】
用紙の厚さを設定する紙厚設定手段を有することを特徴とする、請求項７に記載の画像形成装置。
【請求項９】
用紙の厚さを検知する紙厚検知手段を有することを特徴とする、請求項７に記載の画像形成装置。
【請求項１０】
用紙の種類に応じて前記給紙分離手段の駆動開始前であって前記エアー吹付け手段動作中における前記呼出手段による呼び出し動作の実施回数又は実施時間を変更可能なことを特徴とする、請求項６に記載の画像形成装置。
【請求項１１】
用紙の種類さを設定する紙種設定手段を有することを特徴とする、請求項１０に記載の画像形成装置。
【請求項１２】
用紙の種類を検知する紙種検知手段を有することを特徴とする、請求項１０に記載の画像形成装置。
【請求項１３】
出力画像の濃度に応じて前記給紙分離手段の駆動開始前であって前記エアー吹付け手段動作中における前記呼出手段による呼び出し動作の実施回数又は実施時間を変更可能なことを特徴とする、請求項６に記載の画像形成装置。
【請求項１４】
出力画像濃度を設定する画像濃度設定手段を有することを特徴とする、請求項１３に記載の画像形成装置。
【請求項１５】
出力画像濃度を検知する画像濃度検知手段を有することを特徴とする、請求項１３に記載の画像形成装置。
【請求項１６】
前記給紙装置を複数段備え、各給紙段ごとに前記呼出手段による呼び出し動作の実施回数又は実施時間を設定可能なことを特徴とする、請求項６〜１５のいずれか１項に記載の画像形成装置。
【請求項１７】
少なくとも前記用紙収納部を含む給紙トレイを当該画像形成装置本体から引き出し可能に備え、前記給紙トレイのセットを検知するトレイセット検知手段を有し、該検知手段で前記給紙トレイのセットを検知した場合に、前記呼出手段による呼び出し動作の実施回数又は実施時間を再設定することを特徴とする、請求項６に記載の画像形成装置。
【発明の詳細な説明】
【技術分野】
【０００１】
本発明は、複写機、プリンタ等の画像形成装置に関し、とくに、エアーを用いた給紙に関するものである。
【背景技術】
【０００２】
【特許文献１】特許第２８９０６７４号公報
【特許文献２】特開２００３−１７６０５１号公報
【特許文献３】特開平１１−１５７６８６号公報
【特許文献４】特開２００１−０８８９６４号公報
【０００３】
複写機、プリンタ、ファクシミリ等の画像形成装置及びその用紙搬送装置においては、様々な紙種に対する給紙分離性能を向上させるために、摩擦分離によらないエアー給紙によるものが従来より数多く提案されている。
【０００４】
例えば、特許文献１には、側面から吹付けた分離用エアーが対向する他端まで貫通するための用紙押えを設けることが提案されている。
また、特許文献２には、エアナイフが用紙に当たる近傍に流路を開閉する部材を設け、積載用紙に当たるエアナイフの厚さを順次切り変えれ可能とすることが提案されている。
【０００５】
また、特許文献３には、吹付けるエアーの方向を用紙上面に対して下向きにすることが提案されている。
また、特許文献４には、エアー吹付けノズルの形状を複数の形状から用紙の特性に合わせて選択または交換可能とし、薄紙から厚紙まで性質の異なる多種のシートを分離することが提案されている。
【発明の開示】
【発明が解決しようとする課題】
【０００６】
しかしながら、エア−を用いた給紙分離方式では、用紙のコシや撓みなど形状依存性が大きく、ノズル形状や吹き付け角度などを工夫する改善が実施されているが、人が介在することによる作業が多いため効率的ではなく、定量的に品質を保証することが困難であった。
【０００７】
また、コンプレッサ−の使用などによる消費電力の増大や騒音についても改善が必要とされている。
さらに、用紙の密着力は、用紙間の摩擦係数だけで定義できるものではなく、裁断時のバリ等による機械的密着力、温湿度変化により表面コ−ト層が変化することにより発生する粘着的密着力、ＯＨＰシートのように静電的に発生する電気的密着力に分類される。
【０００８】
そして、大容量のトレイであればあるほど、下方に積載されて用紙は上方の用紙により押し付けられることにより用紙間の密着力が高くなり、給紙分離性能の低下を招くものであった。
【０００９】
また、エアーを補助的に使い、給紙分離手段を別途設けるものも様々開示されているが、それぞれの機構に対する改善は考案されているが、近年の対応すべき用紙種類増加に伴い、信頼性に対する課題は解決されてはいない。
【００１０】
本発明の目的は、従来技術における上記問題を解決し、用紙間密着力を低減させた状態で用紙を給紙することができ、優れた給紙分離性能及び用紙搬送品質を得ることができる給紙装置及び画像形成装置を提供することを課題とする。
【課題を解決するための手段】
【００１１】
前記の課題は、本発明により、用紙収納部と、該用紙収納部に収納された用紙を呼び出す呼出手段と、該呼出手段によって呼び出された用紙を１枚に分離して給送する給紙分離手段と、前記用紙収納部に収納された用紙の側面にエアーを吹き付けるエアー吹付け手段とを備える給紙装置において、前記給紙分離手段の駆動開始前であって前記エアー吹付け手段動作中に前記呼出手段が呼び出し動作を行うように制御することにより解決される。
【００１２】
また、前記呼出手段の呼び出し動作が、呼び出し部材を用紙上面に接離させる動作であり、前記給紙分離手段の駆動開始前であって前記エアー吹付け手段動作中に前記接離動作を複数回行なうと好ましい。
【００１３】
また、前記呼出手段による呼び出し動作を実施する時間を調整可能に設けられていると好ましい。
また、前記用紙収納部内の用紙残量を検知可能に設けられ、前記用紙残量が１枚のときは前記エアー吹付け手段の動作を停止させるとともに前記呼出手段による呼び出し動作を１回のみに制御すると好ましい。
【００１４】
また、前記呼出手段により呼び出された用紙が前記給紙分離手段の用紙搬送方向下流側に配置された用紙搬送手段に到達するまで、前記呼出手段を最上位の用紙に接触させると好ましい。
【００１５】
また、前記の課題は、本発明により、請求項１〜４のいずれか１項に記載の給紙装置を備える画像形成装置により解決される。
また、用紙の厚さに応じて前記給紙分離手段の駆動開始前であって前記エアー吹付け手段動作中における前記呼出手段による呼び出し動作の実施回数又は実施時間を変更可能であると好ましい。
【００１６】
また、用紙の厚さを設定する紙厚設定手段を有すると好ましい。
また、用紙の厚さを検知する紙厚検知手段を有すると好ましい。
また、用紙の種類に応じて前記給紙分離手段の駆動開始前であって前記エアー吹付け手段動作中における前記呼出手段による呼び出し動作の実施回数又は実施時間を変更可能であると好ましい。
【００１７】
また、用紙の種類さを設定する紙種設定手段を有すると好ましい。
また、用紙の種類を検知する紙種検知手段を有すると好ましい。
また、出力画像の濃度に応じて前記給紙分離手段の駆動開始前であって前記エアー吹付け手段動作中における前記呼出手段による呼び出し動作の実施回数又は実施時間を変更可能であると好ましい。
【００１８】
また、出力画像濃度を設定する画像濃度設定手段を有すると好ましい。
また、出力画像濃度を検知する画像濃度検知手段を有すると好ましい。
また、前記給紙装置を複数段備え、各給紙段ごとに前記呼出手段による呼び出し動作の実施回数又は実施時間を設定可能であると好ましい。
【００１９】
また、少なくとも前記用紙収納部を含む給紙トレイを当該画像形成装置本体から引き出し可能に備え、前記給紙トレイのセットを検知するトレイセット検知手段を有し、該検知手段で前記給紙トレイのセットを検知した場合に、前記呼出手段による呼び出し動作の実施回数又は実施時間を再設定すると好ましい。
【発明の効果】
【００２０】
本発明の給紙装置及び画像形成装置によれば、給紙分離手段の駆動開始前であってエアー吹付け手段動作中に呼出手段が呼び出し動作を行うように制御するので、用紙間密着力を低減させた状態で用紙を給紙することができ、給紙分離性能及び用紙搬送品質を向上させることができる。また、その良好な給紙分離性能及び用紙搬送品質を低騒音・省電力にて実現することができる。さらに、給紙不良による画像形成装置のダウンタイムを減少させることもできる。
【００２１】
請求項２の構成により、呼び出し部材の接離動作を複数回行なうことで、確実に用紙を呼び出して給紙分離性能及び用紙搬送品質をより向上させることができる。
請求項３の構成により、最適な呼び出し条件のもとで給紙を行なうことができる。
【００２２】
請求項４の構成により、騒音の発生を低減させるとともに電力を節約することができる。
請求項５の構成により、搬送する用紙がコート紙などの表面が平滑で密着性の高い用紙に対して、呼び出し手段の補助的搬送力により、確実に用紙を搬送させることが可能となる。
【００２３】
請求項７の構成により、用紙の厚さに関わらず良好な給紙分離性能及び用紙搬送品質を得ることができる。
請求項８の構成により、用紙の厚さに応じた最適な制御をユーザが設定することができる。
【００２４】
請求項９の構成により、用紙の厚さを自動的に検知して最適な制御を実施することができる。また、ユーザの手間を省くことができる。
請求項１０の構成により、用紙の種類に関わらず良好な給紙分離性能及び用紙搬送品質を得ることができる。
【００２５】
請求項１１の構成により、用紙の種類に応じた最適な制御をユーザが設定することができる。
請求項１２の構成により、用紙の種類を自動的に検知して最適な制御を実施することができる。また、ユーザの手間を省くことができる。
【００２６】
請求項１３の構成により、出力画像の濃度に関わらず良好な給紙分離性能及び用紙搬送品質を得ることができる。
請求項１４の構成により、出力画像の濃度に応じた最適な制御をユーザが設定することができる。
【００２７】
請求項１５の構成により、出力画像の濃度を自動的に検知して最適な制御を実施することができる。また、ユーザの手間を省くことができる。
請求項１６の構成により、各給紙段に収納された用紙に応じて最適な制御を行なうことができる。
【００２８】
請求項１７の構成により、トレイセット時に呼び出し動作の再設定を行なうことで、再設定の手間を省くことができる。
【発明を実施するための最良の形態】
【００２９】
以下、本発明の実施の形態を図面に基づいて説明する。
図１は、本発明に係る画像形成装置の一例である複写装置の概略構成を示す断面図である。この図に示す複写装置１０は、その中央に画像形成部１が配置され、この画像形成部１の下方に給紙部２が配置されている。給紙部２は各段に給紙トレイ２１を備えている。画像形成部１の上方には原稿を読み取る読取部３が配設されている。画像形成部１の左側には排紙収納部４が形成され、画像形成された用紙が排紙収納される。
【００３０】
画像形成部１には作像ユニット６が配置され、像担持体である感光体ドラム６１の周囲には、感光体表面に帯電処理を行う帯電器６２，感光体表面に形成された静電潜像を可視化する現像装置６３及び感光体に残留するトナーを除去回収するクリーニング装置６４等が配置されている。また、作像ユニット６の上方には、画像情報を感光体表面にレーザー光で照射する露光装置７が配設されている。そして、感光体ドラム６１の下には、感光体６１上に作像されたトナー像を用紙に転写する転写装置５１が配置されている。その転写装置５１の側方には、用紙上に転写されたトナーを、一対のローラ間を通過して熱と圧力を加えることによってトナー像を定着処理する定着装置５２が配置されている。定着装置５２を通過した用紙は排紙ローラ５３により排紙収納部４に排紙される。
【００３１】
給紙部２においては、給紙トレイ２１に未使用の用紙が収容されており、回動可能に支持された底板２４が最上紙をピックアップローラ２５が当接可能な位置まで上昇させる。給紙ローラ２６の回転により、最上紙は給紙トレイ２１から送り出され、レジストローラ２３へと搬送される。
【００３２】
レジストローラ２３は用紙の搬送を一時止め、感光体ドラム６１表面のトナー像と用紙先端との位置関係が所定の位置になるよう、タイミングをとって回転が開始するよう、制御される。
【００３３】
読取部３では、コンタクトガラス３１上に載置される原稿の読み取り走査を行うために、原稿照明用光源とミラーよりなる読み取り走行体３２、３３が往復移動する。この読み取り走行体３２、３３により走査された画像情報は、レンズ３４の後方に設置されているＣＣＤ３５に画像信号として読み込まれる。この読み込まれた画像信号は、画像処理部（図示せず）によってデジタル化され画像処理される。画像形成部１では、画像処理部によって処理された画像信号に基づいて、露光装置７内のレーザダイオード（図示せず）の発光により感光体ドラム６１の表面に静電潜像が形成される。ＬＤからの光信号は、公知のポリゴンミラーやレンズを介して感光体に至る。読取部３の上方には、原稿を自動的に搬送する自動原稿搬送装置３０が取り付けられている。
【００３４】
なお、両面印刷時は、定着後の用紙が分岐部９１にて分岐され、反転両面部９で用紙が反転されてレジストローラ２３まで搬送され、レジストローラ２３で用紙のスキューが補正され、裏面画像形成動作に至る。
【００３５】
本実施例の画像形成装置は、上記のように原稿を読み取りデジタル化して用紙に複写する、いわゆるデジタルコピー機としての機能の他に、図示せぬ制御部により原稿の画像情報を遠隔地と授受するファクシミリの機能や、コンピュータが扱う画像情報を用紙上に印刷するいわゆるプリンタの機能を有する多機能の画像形成装置である。上記コピー機としての設定は、図示しない操作部からオペレータが設定を行う。また、どの機能によって形成された画像もすべて排紙収納部４に排出される。
【００３６】
分岐部９１にて分岐され、反転両面部９を経由して用紙を反転させ反転排紙ローラ５４を経由して排紙ローラ５３から排出された場合、排紙収納部４にスタックされた用紙は画像面が下面になった状態であり、コピー、ファクシミリ、プリンタで扱う原稿の処理順が１ページから行われて印刷されても、排紙収納部４から取り出したとき、１ページ目が最上になっており、改めてページを揃えるなどの作業から開放される。
【００３７】
図１には示していないが、複写装置１０の右側面には、図２に示すような大容量の給紙装置１００を装着することができる。大容量給紙装置１００から給紙された用紙は、画像形成装置の本体内部に設けられた搬送ローラ２７を介して搬送される。
【００３８】
図２は、大容量給紙装置１００の部分斜視図であり、図３は、大容量給紙装置１００の断面構成図である。
これらの図に示すように、本例の大容量給紙装置１００は、前端ガイド１０１、左右サイドフェンス１０２，１０３、底板１０４、後端ガイド１０５及び給紙分離手段１１０等を備えている。用紙は、底板１０４上で、前端ガイド１０１、左右サイドフェンス１０２，１０３及び後端ガイド１０５で囲われた用紙載置部に載置される。底板１０４は図示しない昇降機構により昇降される。なお、符号１１４は用紙押えである。
【００３９】
本例における給紙分離手段１１０は、ピックアップコロ１１１、フィードコロ１１２、リバースコロ１１３からなるＦＲＲ方式のものである。これらの各コロは、あらかじめ設定された給紙タイミングによって、それぞれのタイミングで回転駆動される。ピックアップコロ１１１は、ソレノイドなどの駆動手段（図示せず）により、用紙上面への接離動作が可能となっている。
【００４０】
また、用紙束の上面位置を検知するためのセンサが給紙分離手段１１０内に設けられている。用紙の上限位置はあらかじめ決定されており、上記センサ（図示せず）によって用紙上面位置を検知し、用紙が少なくなっても常に、用紙の給紙位置がばらつかないように、底板１０４（の昇降機構）を上昇モータで動かすことにより、用紙の給紙位置の制御を行っている。これは、給紙分離条件を一定に保つために、用紙積載量が増減しても常に給紙位置が一定となるように、用紙上限位置の最適化を常に行っているものである。
【００４１】
なお、上記センサを動作させるアクチュエータは、ピックアップコロ１１１とフィードコロ１１２とが連結された構成となっており、このアクチュエータの先に付けたフィラーが光学センサの光をさえぎることにより、センサが動作するようになっており、該センサによって常に用紙の上面位置を検知し、ピックアップコロ１１１の位置を一定に保つようになっている。また、用紙が消費されることによって底板１０４が上昇しても、その底板１０４の位置検知を上記アクチュエータによって行う。
【００４２】
前端ガイド１０１、左右サイドフェンス１０２，１０３、底板１０４、後端ガイド１０５等が搭載されるトレイ１０９は、大容量給紙装置１００から抜き差し可能な構成で、使用者が用紙をセットするときには、該トレイ１０９を引き出して行うようになっている。
【００４３】
そして、左右サイドフェンス１０２，１０３にはブロワーファン１０７，１０８が取り付けられており、左右サイドフェンス１０２，１０３の内側側面には上記ブロワーファンからのエアーを噴出すノズル形状のエアー噴出し口１０６が設けられる。図には右サイドフェンス１０３に設けられたエアー噴出し口１０６のみが示されているが、左サイドフェンス１０２にも同じくノズル形状のエアー噴出し口１０６が設けられる。ブロワーファン１０７，１０８が動作すると両側のエアー噴出し口１０６からエアーが噴出し、用紙束の側面に当たり、用紙をさばくことで給紙分離手段１１０による分離を補助する。なお、エアー噴出し口１０６は、その上端位置が給紙位置（給紙位置における用紙上面位置、図３に一点鎖線にて示す）よりも低い位置となるように設けられている。
【００４４】
本例の大容量給紙装置１００は、上記したようにＦＲＲ分離方式であるが、エアー噴出し口１０６からエアーを噴き出させることで分離に先立って用紙をさばき、用紙間密着力を低下させることで給紙分離手段１１０による分離を補助し、分離・給紙性能及び用紙搬送品質を向上させることができる。
【００４５】
また、エアー噴出し口１０６が給紙位置よりも低い位置に設けられることから、エアー噴出し口１０６から吹き出る風は通紙中の用紙（給紙分離手段１１０によって呼び出される最上位の用紙）に直接当たらず、ブロワーファンの機能を用紙さばきに限定させることができる。このため、通紙される用紙に吹き出た風が来ないため、用紙の浮上を抑える効果がある。
【００４６】
図４に、給紙制御の一例を示す。
図４のフローチャートに示すように、大容量給紙装置１００を用いた給紙プロセスが開始され（Ｓ１）、用紙サイズの確定（Ｓ２）に続いて風力パラメータの設定が行われる（Ｓ３）。そして、ブロワーファン１０７，１０８の駆動が開始され（Ｓ４），ピックアップコロ１１１を上記給紙位置に移動させるソレノイドがオンされる（Ｓ５）。所定の時間が経過したか否かを判断し（Ｓ６）、所定時間経過後に上記ソレノイドをオフさせる（Ｓ７）。次に、ピックアップコロ１１１の接離動作が所定の回数または時間（図では回数のみ示す）だけ繰り返されたどうかを判断し（Ｓ８）、設定回数または時間に達するまでＳ５〜Ｓ７の動作を繰り返す。そして、上記動作が設定された回数または時間だけ行われたらＳ９に進んで給紙駆動がスタート、すなわちフィードコロ１１２及びリバースコロ１１３が回転を開始して用紙の分離給送が開始される。
【００４７】
図５に、用紙の厚さに対応する給紙制御の一例を示す。この場合、用紙の厚さを検知する紙厚検知手段を備えるものとする。あるいは、操作パネルからの用紙設定によっても良い。
【００４８】
図５のフローチャートに示すように、大容量給紙装置１００を用いた給紙プロセスが開始され（Ｓ１）、用紙サイズの確定（Ｓ２）に続いて風力パラメータの設定が行われる（Ｓ３）。そして、Ｓ１４，Ｓ１６，Ｓ１８，Ｓ２０の各ステップおいて用紙の厚さが判断され、その判断された用紙厚さに応じたピックアップコロ１１１の接離動作回数または時間が、Ｓ１５，Ｓ１７，Ｓ１９，Ｓ２１の各ステップで設定される。本例では用紙厚さは「薄紙」，「普通紙」，「厚紙」，「超厚紙」の４段階で判定され、その各紙厚に対応して上記動作回数または時間も４段階に設定される。
【００４９】
そして、ブロワーファン１０７，１０８の駆動が開始され（Ｓ２２），ピックアップコロ１１１を上記給紙位置に移動させるソレノイドがオンされる（Ｓ２３）。所定の時間が経過したか否かを判断し（Ｓ２４）、所定時間経過後に上記ソレノイドをオフさせる（Ｓ２５）。次に、ピックアップコロ１１１の接離動作が所定の回数または時間（図では回数のみ示す）だけ繰り返されたどうかを判断し（Ｓ２６）、設定回数または時間に達するまでＳ２３〜Ｓ２５の動作を繰り返す。そして、上記動作が設定された回数または時間だけ行われると、Ｓ２７に進んで給紙駆動がスタート、すなわちフィードコロ１１２及びリバースコロ１１３が回転を開始して用紙の分離給送が開始される。
【００５０】
図６に、用紙種類に対応する給紙制御の一例を示す。
図６のフローチャートにおいて、図５の用紙厚さに対応する制御と異なるのは、本制御ではＳ３４，Ｓ３６，Ｓ３８，Ｓ４０の各ステップおいて用紙の種類が判断され、その判断された用紙種類に応じたピックアップコロ１１１の接離動作回数または時間が、Ｓ３５，Ｓ３７，Ｓ３９，Ｓ４１の各ステップで設定される点である。また、本例では、用紙種類は「普通紙」，「コート紙」，「光沢紙」，「ＯＨＰ」の４種類で判定され、その各紙種に対応して上記動作回数または時間も４段階に設定される。これ以外の部分は図５の場合と同様である。なお、用紙の種類は、操作パネルからの用紙設定によって判断できる。また、用紙種類を検知する検知手段を備えても良い。
【００５１】
図７に、プレプリント紙の画像濃度に対応する給紙制御の一例を示す。この場合、出力させたプレプリント紙の画像濃度をユーザが判断し、その画像濃度の状態を操作パネルから入力する。あるいは、画像濃度検出手段を備えて自動的に画像濃度を判断できるように構成しても良い。
【００５２】
図７のフローチャートにおいて、図５の用紙厚さに対応する制御と異なるのは、本制御ではＳ５４，Ｓ５６，Ｓ５８の各ステップおいて用紙の種類が判断され、その判断された用紙種類に応じたピックアップコロ１１１の接離動作回数または時間が、Ｓ５５，Ｓ５７，Ｓ５９の各ステップで設定される点である。また、本例では、画像濃度は「薄い」，「普通」，「濃い」の３種類で判定され、その各濃度に対応して上記動作回数または時間も３段階に設定される。これ以外の部分は図５の場合と同様である。
【００５３】
図８は、上記説明した各種条件設定を行うための、画像形成装置の操作部における画面表示例を示すもので、（ａ）はピックアップコロ１１１の接離動作回数または時間を設定する表示例である。（ｂ）は用紙の厚さを選択する表示例である。（ｃ）は用紙種類を選択する表示例である。（ｄ）はプレプリント紙の画像濃度を選択する表示例である。なお、上述したように、（ｂ）〜（ｄ）の各種条件は、検知手段を設けて自動的に設定するように構成しても良い。
【００５４】
図９は、各種条件設定に間違いがあった場合の異常を知らせる表示例を示すものである。ここでは操作部の画面７０に、あらかじめ設定されている条件と指定された条件とが異なっており、設定の確認を促すメッセージを表示している。なお、符号７１はテンキー、符号７２はエンターキーである。
【００５５】
次の表１〜３は、各種条件による制御パラメータの設定例を示すもので、表１は用紙厚さに応じた制御パラメータであり、表２は用紙種類に応じた制御パラメータであり、表３はプレプリント紙の画像濃度に応じた制御パラメータである。
【００５６】
【表１】
2009084052.tif 000003
【００５７】
【表２】
2009084052.tif 000004
【００５８】
【表３】
2009084052.tif 000005
【００５９】
表１に示すように、用紙厚さの場合は、厚さが厚くなるほどピックアップコロ１１１の接離動作回数及び時間が大きく設定される。また、表２に示すように、用紙種類の場合は、用紙光沢度や表面の平滑度が増すことによってピックアップコロ１１１の接離動作回数及び時間が大きく設定される。また、表３に示すように、画像濃度の場合は、濃度が濃くなるほどピックアップコロ１１１の接離動作回数及び時間が大きく設定される。
【００６０】
上記説明したように、本発明においては、分離給紙手段の動作が開始される前で、かつ用紙サバキのためのブロワーファン動作中に用紙呼び出し手段（ピックアップコロ１１１）が接離動作を行うように制御することにより、用紙間密着力を低減させた状態で用紙を給紙することができ、給紙分離性能及び用紙搬送品質を向上させることができる。また、その良好な給紙分離性能及び用紙搬送品質を低騒音・省電力にて実現することができる。さらに、給紙不良による画像形成装置のダウンタイムを減少させることもできる。
【００６１】
用紙を呼び出すためのピックアップコロ１１１の接離動作を実施する時間を調整可能に設けると好適である。画像形成装置の操作部等から上記実施時間を指定することで対応できる。
【００６２】
また、トレイ内の用紙残量を検知する検知手段を設け、残り枚数が１枚の場合にはブロワーファンの動作を停止させるとともに、ピックアップコロ１１１の接離動作を１回のみとすると好適である。
【００６３】
また、トレイが本体にセットされたことを検知するトレイセット検知手段を備え、該検知手段でトレイが本体にセットされたことを検知したときに、上記の各種条件を再設定するように構成すると好適である。
【００６４】
ところで、用紙収納部に積載した用紙の最上紙から順次給紙する構成の給紙装置においては、待機状態では呼び出し手段（ピックアップコロ）は最上紙から離れた状態であり、給紙指示によって呼び出し手段が最上紙に接触されて用紙を呼び出すのが一般的である。また、通常、分離手段のニップ部を超えた近傍（ニップ部の下流側近傍）に用紙検知手段を設置し、呼び出された用紙先端がその用紙検知手段によって検知されると、呼び出し手段を再度待機位置まで戻すのが一般的である。これは、呼び出し手段（ピックアップコロ）を常時最上紙に接触させた状態とすると次用紙との重送が発生しやすいためであり、そのため、上記のように、呼び出された用紙（最上紙）が分離手段に到達した（ニップ部の下流側近傍に配置された用紙検知手段によって検知された）時点で呼び出し手段（ピックアップコロ）を最上紙から離すように制御するのが一般的である。
【００６５】
そして、最近ではユーザの要望により使用する用紙の種類が増え、普通紙のほかに厚紙またはそれに順ずるコート紙等の用紙が使用されることも多い。このような用紙を分離搬送する場合、コート紙のようにその平滑性の良さから用紙が互いに貼り付き、分離性が著しく低下する場合がある。そこで、次に説明するような呼び出し部の制御を行なうことによって、メカ的な機構を追加せずに、分離部の搬送余裕度を増して確実な給紙を行うことが可能となる。
【００６６】
図１０に示すように、大容量給紙装置１００の給紙分離手段１１０の用紙搬送方向下流側には、搬送コロ１２０が設置されており、その搬送コロ１２０のニップ出口近傍には用紙検知手段である搬送センサ１２１が設けられている。符号１２２は、給紙分離手段１１０のニップ出口近傍に配置された給紙センサである。なお、大容量給紙装置１００自体は図２，３で説明したものと同じであり、大容量給紙装置についての重複する説明は省略する。また、この大容量給紙装置１００を図１の複写装置１０に装着する場合は、上記搬送コロ１２０は、複写装置１０の搬送ローラ２７に相当するものである。
【００６７】
図１１は、給紙分離手段１１０の駆動機構を示す斜視図である。図１１において、符号１２４はピックアップコロ１１１及びフィードコロ１１２駆動用モータ（給紙モータ）である。また、符号１２５は搬送コロ１２０駆動用モータ（搬送モータ）である。給紙モータ１２４とフィードコロ１１２のコロ軸とは連結手段１２６によって連結され、搬送モータ１２５と搬送コロ１２０のコロ軸とは連結手段１２７によって連結されている。ピックアップコロ１１１は、フィードコロ１１２のコロ軸からギヤ列を介して（給紙モータ１２４で）駆動される。
【００６８】
用紙（図示せず）はピックアップコロ１１１により呼び出され、フィードコロ１１２及びリバースコロ１１３によって１枚に分離され、図示矢印の如く、図の左斜め下から右斜め上方向に搬送される。なお、符号１２８は、ピックアップコロ１１１を移動させるためのソレノイド（ピックアップソレノイド）である。
【００６９】
さて、大容量給紙装置１００の底板１０４上に載置された用紙束（図示せず）の上部からピックアップコロ１１１が待機位置からソレノイド１２８によって下降され、用紙面上に接触される。次に、給紙モータ１２４によってピックアップコロ１１１が駆動され、最上位の用紙をフィードコロ１１２とリバースコロ１１３からなる分離搬送部に送り込む。この分離搬送部は給紙モータ１２４に連結されており、用紙先端が両ローラのニップ付近に設置されている給紙センサ１２２（図１０）に到達したとき、給紙モータ１２４をストップさせ、一定時間後に再スタートさせる。これは用紙先端の位置バラツキをなくすためのプレフィード機構である。そして、給紙モータ再スタートによって用紙は搬送コロ１２０まで搬送される。ここで、上記したように、搬送コロ１２０のニップ出口近傍に搬送センサ１２１が設置されており、その搬送センサ１２１が用紙先端を検知すると同時に、ソレノイド１２８をオフしてピックアップコロ１１１を待機位置に戻す（用紙面上から離間させる）。
【００７０】
用紙が通常の普通紙の場合は、ピックアップコロ１１１によって呼び出された用紙が次の分離搬送部を過ぎたところで給紙センサ１２２によって検知されると、ピックアップコロ１１１は待機位置に戻される。普通の用紙の場合は上述したように用紙が搬送コロ１２０に到達するまでピックアップコロ１１１を呼び出し位置にしておく（用紙面上に接触させておく）と多数枚送りの原因となってしまう。
【００７１】
一方、重量が３００程度で大サイズのコート紙の場合は、エアー噴出し口１０６から吹き出したエアーの進入によりサイドフェンス１０３周辺ではさばき効果があるものの、分離搬送部１１０近傍では用紙同士の密着性により、エアーの進入が少ないと分離性が極端に低下してしまう。この分離性が低下した状態で搬送を行なうと、分離性の悪さによって時間的に用紙搬送の遅れが生じ、ジャム検知手段によって用紙ジャムと判定されてしまう。
【００７２】
しかし、本例では、用紙がコート紙の場合は上記のように、ピックアップコロ１１１によって呼び出された用紙が次の分離搬送部を過ぎ、更に用紙が搬送コロ１２０に到達するまでピックアップコロ１１１を呼び出し位置に位置させておくことにより、用紙を搬送コロ１２０まで分離搬送部１１０とピックアップコロ１１１の搬送力によって搬送することができ、呼び出し分離された用紙を確実に搬送することが可能となる。
【００７３】
図１２に、上記制御のフローチャートを示す。
図１２において、大容量給紙装置１００を用いた給紙プロセスが開始され（Ｓ７１）、用紙サイズの確定（Ｓ７２）に続いて風力パラメータの設定が行われる（Ｓ７３）。そして、ブロワーファン１０７，１０８の駆動が開始され（Ｓ７４），給紙駆動（モータ１２４，１２５の駆動）がスタートされる（Ｓ７５）。次に、ピックアップコロ１１１を上記給紙位置に移動させるピックアップソレノイド１２８がオンされる（Ｓ７６）。用紙が搬送され、用紙が搬送ローラ１２０に到達したか（搬送センサ１２１がオンしたか）否かを判断し（Ｓ７７）、用紙が搬送ローラ１２０に到達した時点で、ピックアップソレノイド１２８をオフしてピックアップコロ１１１を待機位置に退避させる（Ｓ７８）。
【００７４】
図１３に本制御のタイミングチャートを示す。
画像形成装置本体における書き込み指示と同時に給紙モータ１２４及び搬送モータ１２５を励磁し、ピックアップソレノイド１２８をＯＮさせる（ｔ１）。用紙さばきのためのファンモータは給紙開始前にＯＮさせ、ｔ１から一定時間後に給紙モータ１２４及び搬送モータ１２５を共にＯＮさせて給紙を開始する（ｔ２）。用紙先端が給紙センサ１２２に到達したら給紙モータ１２４を停止させ（ｔ３）、所定時間後に再スタートさせる（ｔ４）。すなわち、プレフィードである。用紙先端が更に進んで搬送センサ１２１に到達した段階でピックアップソレノイド１２８をＯＦＦさせて（ｔ５）、ピックアップコロ１１１を待機位置に戻す。
【００７５】
このような制御により、搬送する用紙がコート紙などの表面が平滑で密着性の高い用紙に対して、呼び出し手段であるピックアップコロ１１１の補助的搬送力により、確実に用紙を搬送させることが可能となる。
【００７６】
以上、本発明を図示例により説明したが、本発明はこれに限定されるものではない。例えば、給紙装置は大容量給紙装置に限らず、通常の用紙カセットや用紙トレイに本発明を適用することも可能である。その場合、各給紙段ごとにピックアップコロ１１１の接離動作の回数又は時間を設定可能に設けると好適である。
【００７７】
また、大容量給紙装置は、画像形成装置の側面に装着するものではなく、本体下部に配設することもできる。さらに、分離方式は図示例のＦＲＲ方式に限らず、任意の分離方式を採用可能である。
【００７８】
また、制御パラメータの値等も適宜設定可能であるし、その設定段階の数なども任意である。
そして、画像形成装置各部の構成も任意であり、モノクロ装置に限らず２色のトナーによる多色機、あるいは３色または４色のトナーを用いるフルカラー機にも本発明を適用することができる。もちろん、画像形成装置としては複写機に限らず、プリンタやファクシミリ、あるいは複数の機能を備える複合機であっても良い。
【図面の簡単な説明】
【００７９】
【図１】本発明に係る画像形成装置の一例である複写装置の概略構成を示す断面図である。
【図２】大容量給紙装置の部分斜視図である。
【図３】その大容量給紙装置の断面構成図である。
【図４】給紙制御の一例を示すフローチャートである。
【図５】用紙の厚さに対応する給紙制御を示すフローチャートである。
【図６】用紙種類に対応する給紙制御を示すフローチャートである。
【図７】プレプリント紙の画像濃度に対応する給紙制御を示すフローチャートである。
【図８】各種条件設定を行う操作部の画面表示例を示す平面図である。
【図９】各種条件設定の異常を知らせる表示例を示す平面図である。
【図１０】大容量給紙装置と下流側の用紙搬送手段を示す断面図である。
【図１１】給紙分離手段の駆動機構を示す斜視図である。
【図１２】給紙制御の異なる例を示すフローチャートである。
【図１３】その制御におけるタイミングチャートである。
【符号の説明】
【００８０】
１              画像形成部
２              給紙部
３              読取部
６              作像ユニット
１０            複写装置
３０            自動原稿搬送装置
７０            操作部画面
１００          大容量給紙装置
１０２，１０３  サイドフェンス
１０４          底板
１０５          後端ガイド
１０６          エアー噴き出し口
１０７，１０８  ブロワーファン
１１０          給紙分離手段
１１１          ピックアップコロ（呼出手段）
１１２          フィードコロ
１１３          リバースコロ
１２０          搬送コロ（用紙搬送手段）
１２１          搬送センサ（用紙検知手段）
１２２          給紙センサ（用紙検知手段）
１２８          ピックアップソレノイド
【図１】
2009084052.tif 000006
【図２】
2009084052.tif 000007
【図３】
2009084052.tif 000008
【図４】
2009084052.tif 000009
【図５】
2009084052.tif 000010
【図６】
2009084052.tif 000011
【図７】
2009084052.tif 000012
【図８】
2009084052.tif 000013
【図９】
2009084052.tif 000014
【図１０】
2009084052.tif 000015
【図１１】
2009084052.tif 000016
【図１２】
2009084052.tif 000017
【図１３】
2009084052.tif 000018